(57)【要約】【課題】  従来のピックアップに対して物理的な部品の追加を伴うことなく、複数の半導体レーザ素子毎の発光点の位置の相違に起因するエラーレートの増大等を防止することで、製造工程の増大、製造コストの増大並びにピックアップとしての大型化を防止することが可能なピックアップ装置等を提供する。【解決手段】  光ビームＢ１を出射するレーザダイオード６Ａ及び光ビームＢ２を出射するレーザダイオード６Ａと、各光ビームＢを光ディスクＤＫ上に夫々集光する対物レンズ９と、を備え、光ディスクＤＫに記録されている情報を光学的に検出するピックアップＰＵにおいて、トラッキングサーボ処理時における対物レンズ９の移動の基準となる基準中心軸位置を、レーザダイオード６Ａ及び６Ｂ夫々の設置位置に夫々対応した基準中心軸位置とし、各基準中心軸位置を中心として対物レンズ９を光ディスクＤＫの半径方向に移動させる。【選択図】  図１
2006164478.tif 000002
【特許請求の範囲】
【請求項１】
記録媒体に照射される光ビームを夫々出射し且つ設置位置が相互に異なる複数の光源と、当該出射された各光ビームを当該記録媒体上に夫々集光する集光手段と、を備え、前記記録媒体に記録されている情報を光学的に検出した検出信号を生成するピックアップ装置において、
複数の前記光源の夫々から出射される各前記光ビームを前記記録媒体上に集光する際における前記集光手段の移動の基準となる基準位置を、各前記設置位置に対応した異なる基準位置として当該集光手段を移動させる移動制御手段を備えることを特徴とするピックアップ装置。
【請求項２】
請求項１に記載のピックアップ装置において、
各前記光源と前記集光手段との間の各前記光ビームの光路上に、前記出射された光ビームの光束を平行光束にする光学手段を更に備え、
前記移動制御手段は、一の前記光源の設置位置と他の前記光源の設置位置との間隔をＬとし、前記光学手段の焦点距離をＦ１とし、前記集光手段の焦点距離をＦ２としたとき、前記一の光源から出射された前記光ビームの集光位置と前記他の光源から出射された前記光ビームの集光位置との間隔ＬＬが、
ＬＬ＝（Ｆ２÷Ｆ１）×Ｌ
となるように、前記一の光源から出射された前記光ビームに対応する前記基準位置及び前記他の光源から出射された前記光ビームに対応する前記基準位置を夫々設定して前記集光手段を移動させることを特徴とするピックアップ装置。
【請求項３】
請求項２に記載のピックアップ装置において、
前記移動制御手段は、前記他の光源から出射された前記光ビームの前記集光位置が、前記一の光源から出射された前記光ビームの前記集光位置から見て、前記一の光源の設置位置から見た前記他の光源の設置位置の方向とは反対の方向に前記間隔ＬＬだけ離隔した位置となるように各前記光源に対応する各前記基準位置を設定することを特徴とするピックアップ装置。
【請求項４】
請求項１から３のいずれか一項に記載のピックアップ装置において、
複数の前記光源は、ＣＤ（Compact Disc）に対して情報を記録再生するための第１の光ビームを出射する第１の光源と、ＤＶＤ（Digital Versatile Disc）に対して情報を記録再生するための第２の光ビームを出射する第２の光源であることを特徴とするピックアップ装置。
【請求項５】
請求項１から４のいずれか一項に記載のピックアップ装置と、
前記検出信号に基づいて前記記録されている情報を再生する再生手段と、
を備えることを特徴とする情報再生装置。
【請求項６】
記録媒体に照射される光ビームを夫々出射し且つ設置位置が相互に異なる複数の光源と、当該出射された各光ビームを当該記録媒体上に夫々集光する集光手段と、を備えたピックアップ装置における前記集光手段の移動制御方法であって、
複数の前記光源の夫々から出射される各前記光ビームを前記記録媒体上に集光する際における前記集光手段の移動の基準となる基準位置を、各前記設置位置に対応した異なる基準位置として当該集光手段を移動させることを特徴とする移動制御方法。
【請求項７】
請求項６に記載の移動制御方法をコンピュータに実行させることを特徴とする移動制御用プログラム。
【請求項８】
請求項１から４のいずれか一項に記載のピックアップ装置としてコンピュータを機能させることを特徴とする移動制御用プログラム。
【請求項９】
請求項７又は８に記載の移動制御用プログラムが前記コンピュータにより読取可能に記録されていることを特徴とする情報記録媒体。
【発明の詳細な説明】
【技術分野】
【０００１】
本願は、ピックアップ装置、情報再生装置、移動制御用プログラム並びに情報記録媒体の技術分野に属し、より詳細には、複数の光源から出射された光ビームを夫々光ディスク上に集光させて当該記録媒体に対する情報の記録又は再生を光学的に行うピックアップ装置及び当該ピックアップ装置を含む情報再生装置並びに当該ピックアップ装置の動作において対物レンズの移動を制御するための移動制御用プログラム及び当該移動制御用プログラムが記録された情報記録媒体の技術分野に属する。
【背景技術】
【０００２】
従来、光学的に情報の記録又は再生が可能な記録媒体としての光ディスクが広く一般化しているが、この光ディスクには、記録密度（又は一枚当たりの記録容量）の差に応じて、ＣＤ（Compact Disc）及びＤＶＤ（Digital Versatile Disc）等複数の種類がある。そして、近年では、一つの記録再生装置により上記ＣＤに対する情報の記録再生と上記ＤＶＤに対する情報の記録再生との双方が可能な、いわゆるコンパチブルプレーヤ／レコーダが数多く開発されており、一般化もしている。
【０００３】
ここで、装置小型化の要請から一つの対物レンズを用いてＣＤ及びＤＶＤ双方のディスクに対する情報の記録再生を行う場合、上記したＣＤとＤＶＤとでは記録密度（換言すれば記録用のピットの大きさ）が大幅に異なるため、ＣＤ用の赤色レーザ光を出射する半導体レーザ素子と、ＤＶＤ用の青紫色レーザ光を出射する半導体レーザ素子と、の二つが一つのコンパチブルプレーヤ／レコーダ内のピックアップに備える構成とされている場合が多く、装填された光ディスクの種類に応じてこれらの半導体レーザ素子を切り換えて選択的に用いる構成とされている。そして、このような場合、各半導体レーザ素子は相互に異なる特性を夫々に有するが故に別個独立の素子として形成されており、更に夫々の半導体レーザ素子における光ビームの発光点の素子間距離が例えば１１０マイクロメータ程度の距離となるように、光ディスクの半径方向に物理的に離隔した位置に設置されている場合が多かった。
【０００４】
一方、上記コンパチブルプレーヤ／レコーダにおけるピックアップは、一般に、上記各光源から出射された光ビームの夫々を平行光束に変換するコリメータレンズと、当該平行光束とされた各光ビームを対応する光ディスク上の集光点に集光させる一つの対物レンズと、を少なくとも備えており、各半導体レーザ素子から出射された各光ビームがコリメータレンズにより平行光束に変換され、それが対物レンズにより光ディスクの記録面上に集光されるのである。
【０００５】
そして、このような構成のピックアップにおいて上述したように複数の半導体レーザ素子を配置する場合、各半導体レーザ素子における発光点の位置が異なることに起因して、各光ビームが上記コリメータレンズ及び対物レンズへ入射する角度及び位置が各光ビーム毎に相互に異なり、この結果各光ビームの記録面上における集光位置も相互に異なることとなる。
【０００６】
ここで、一般に、対物レンズ及びコリメータレンズに共通の中心軸上に半導体レーザ素子の発光点が位置している場合には、当該半導体レーザ素子から出射される光ビームに収差（例えば軸外収差）が発生することはない。しかしながら、半導体レーザ素子が複数ある場合、いずれかの半導体レーザ素子の発光点は必ず上記中心軸上にはないこととなり、この結果、当該中心軸上に発光点がない半導体レーザ素子から出射された光ビームにはコリメータレンズ及び対物レンズの夫々について上記軸外収差が発生し、また光ディスクからの反射光を受光するディテクタ上における受光位置にも誤差が生じることとなり、これらにより当該光ビームを用いて情報の記録又は再生を行う場合にはその記録精度又は再生精度に劣化が生じ、エラーレートの増大等を引き起こすこととなる。
【０００７】
そこで、従来では、発光点の位置ずれに起因するこのようなエラーレートの増大等を抑制すべく、例えば下記特許文献１に記載されたような技術が開発されている。
【特許文献１】特開２００３−３３１４５７公報
【０００８】
この特許文献１には、上述した目的を達成すべく、二つの波長のレーザ光を出射可能な二波長ＬＤ（LASER Diode）において、短波長側のレーザ光を出射する光軸中心に位置合わせされた第１の発光点と、当該第１の発光点から所定の間隔をおいて設けられた長波長側のレーザ光を出射する第２の発光点とから選択的にレーザ光を出射し、往復光路を分割するビームスプリッタより前段に設けられた光軸補正素子により、第２の発光点から出射された長波長側のレーザ光を光軸に対する傾きが０度となるように補正する構成が開示されている。
【発明の開示】
【発明が解決しようとする課題】
【０００９】
しかしながら、上述した特許文献１に記載された構成によると、長波長側のレーザ光を補正するための光軸補正素子が必要となり、当該光軸補正素子が存在することに起因する製造時の光軸調整の工程の増大、製造コストの増大並びにピックアップとしての大型化という問題点があった。
【００１０】
そこで、本願は上記の各問題点に鑑みて為されたもので、その目的の一例は、従来のピックアップに対して物理的な部品の追加を伴うことなく、複数の半導体レーザ素子毎の発光点の位置の相違に起因するエラーレートの増大等を防止することで、製造工程の増大、製造コストの増大並びにピックアップとしての大型化を防止することが可能なピックアップ装置及び当該ピックアップ装置を含む情報再生装置並びに当該ピックアップ装置の動作において対物レンズの移動を制御するための移動制御用プログラム及び当該移動制御用プログラムが記録された情報記録媒体を提供することにある。
【課題を解決するための手段】
【００１１】
上記の課題を解決するために、請求項１に記載の発明は、光ディスク等の記録媒体に照射される光ビームを夫々出射し且つ設置位置が相互に異なる複数の光源と、当該出射された各光ビームを当該記録媒体上に夫々集光する対物レンズ等の集光手段と、を備え、前記記録媒体に記録されている情報を光学的に検出した検出信号を生成するピックアップ装置において、複数の前記光源の夫々から出射される各前記光ビームを前記記録媒体上に集光する際における前記集光手段の移動の基準となる基準位置を、各前記設置位置に対応した異なる基準位置として当該集光手段を移動させるサーボ信号処理部等の移動制御手段を備える。
【００１２】
上記の課題を解決するために、請求項５に記載の発明は、請求項１から４のいずれか一項に記載のピックアップ装置と、前記検出信号に基づいて前記記録されている情報を再生する再生手段と、を備える。
【００１３】
上記の課題を解決するために、請求項６に記載の発明は、光ディスク等の記録媒体に照射される光ビームを夫々出射し且つ設置位置が相互に異なる複数の光源と、当該出射された各光ビームを当該記録媒体上に夫々集光する対物レンズ等の集光手段と、を備えたピックアップ装置における前記集光手段の移動制御方法であって、複数の前記光源の夫々から出射される各前記光ビームを前記記録媒体上に集光する際における前記集光手段の移動の基準となる基準位置を、各前記設置位置に対応した異なる基準位置として当該集光手段を移動させる。
【００１４】
上記の課題を解決するために、請求項７に記載の発明は、請求項６に記載の移動制御方法をコンピュータに実行させる。
【００１５】
上記の課題を解決するために、請求項８に記載の発明は、請求項１から４のいずれか一項に記載のピックアップ装置としてコンピュータを機能させる。
【００１６】
上記の課題を解決するために、請求項９に記載の発明は、請求項７又は８に記載の移動制御用プログラムが前記コンピュータにより読取可能に記録されている。
【発明を実施するための最良の形態】
【００１７】
次に、本願を実施するための最良の形態について、図１及び図２を用いて説明する。なお、以下に説明する実施形態は、ＣＤとＤＶＤの双方から夫々に情報の再生が可能なコンパチブルプレーヤに備えられたピックアップに対して本願を適用した場合の実施の形態である。
【００１８】
始めに、実施形態に係るピックアップについて、図１を用いて説明する。なお、図１は実施形態に係るピックアップを含む情報再生装置の概要構成を示すブロック図である。
【００１９】
図１に示すように、実施形態に係るピックアップＰＵを含む情報再生装置Ｓは、当該ピックアップＰＵと、アクチュエータドライバ２と、移動制御手段としてのサーボ信号処理部３と、ＣＰＵ４と、再生手段としての再生処理部１１と、により構成されている。
【００２０】
また、上記ピックアップＰＵは、移動制御手段としてのアクチュエータ１と、レーザドライバ５と、ＣＤ用のレーザダイオード６Ａと、ＤＶＤ用のレーザダイオード６Ｂと、ビームスプリッタ７と、光学手段としてのコリメータレンズ８と、対物レンズ９と、ディテクタ１０と、により構成されている。ここで、レーザダイオード６Ａと、レーザダイオード６Ｂとは、光ディスクＤＫの半径方向に距離Ｌ（距離Ｌの具体的な値としては、例えば１１０マイクロメータとされている）だけ離れて配置されている。
【００２１】
次に、動作を説明する。
【００２２】
先ず、ピックアップＰＵ内において、レーザダイオード６Ａ又は６Ｂのいずれか一方から出射された光ビームＢは、ビームスプリッタ７、コリメータレンズ８、対物レンズ９の順で進行し、情報再生装置Ｓに装填されている光ディスクＤＫ内の情報記録面において反射される。そして、その反射光は、今度は対物レンズ９、コリメータレンズ８、ビームスプリッタ７の順で進行し、当該ビームスプリッタ７により反射されてディテクタ１０内の受光部に入射する。
【００２３】
なお、図１においては、レーザダイオード６Ａから出射された光ビームＢを符号「Ｂ１」で、レーザダイオード６Ｂから出射された光ビームＢを符号「Ｂ２」で、夫々示しており、更に夫々の光束については、光ビームＢ１の光束を実線で、光ビームＢ２の光束を破線で示している。
【００２４】
そして、ディテクタ１０は、当該入射した反射光の強度の変化に対応した変化を有する検出信号Ｓpを生成して再生処理部１１へ出力する。
【００２５】
これにより、再生処理部１１は、当該検出信号Ｓpに対して、予め設定されている増幅処理及び復号処理等を施し、光ディスクＤＫに記録されていた情報に対応する再生信号Ｓoutを生成して外部の図示しないスピーカ又はディスプレイ等に対して出力する。
【００２６】
一方、上述した光ディスクＤＫに対する光ビームＢの照射において、当該光ビームＢの集光位置（上記情報記録面に平行な方向の集光位置及び垂直な方向の集光位置の夫々）は、対物レンズ９の外側に巻回されて当該対物レンズ９に固定されている図示しないコイルに流される駆動電流と、アクチュエータ１を構成する電磁石と、の相互作用を用いたトラッキングサーボ処理又はフォーカスサーボ処理により、当該対物レンズ９が上記情報記録面に平行な方向又は垂直な方向に夫々移動することにより調整される。
【００２７】
このため、アクチュエータドライバ２は、サーボ信号処理部３からの制御信号Ｓcaに基づき、再生すべき情報が記録されている光ディスクＤＫ上の位置に正確に各光ビームＢを照射すべく、上記集光位置を制御するための上記駆動電流Ｓadを生成して上記図示しないコイルに供給する。
【００２８】
このため、サーボ信号処理部３は、ＣＰＵ４からの制御信号Ｓcsに基づいて上記制御信号Ｓcaを生成し、アクチュエータドライバ２へ出力する。
【００２９】
これらの動作と並行して、ＣＰＵ４は、図示しない操作部において実行された使用者による命令操作に基づいて、サーボ信号処理部３の動作を制御して上記制御信号Ｓcaを出力させるべく上記制御信号Ｓcsを生成して当該サーボ信号処理部３へ出力すると共に、上記再生処理部１１における再生処理を制御するための制御信号Ｓpcを生成して当該再生処理部１１に出力し、更に、上記レーザダイオード６Ａ又は６Ｂの動作を制御するための制御信号Ｓldを生成してレーザドライバ５へ出力する。
【００３０】
次に、実施形態に係るピックアップＰＵとしての動作をより詳細に説明する。
【００３１】
先ず、レーザドライバ５は、ＣＰＵ４からの制御信号Ｓldに基づいて、その時に情報再生装置Ｓに装填されている光ディスクＤＫがＣＤである場合はレーザダイオード６Ａを、当該光ディスクＤＫがＤＶＤである場合はレーザダイオード６Ｂを、夫々駆動するための駆動信号Ｓdを生成して当該レーザダイオード６Ａ又は６Ｂをいずれか一方に出力する。
【００３２】
次に、駆動信号Ｓdを受信したレーザダイオード６Ａ又は６Ｂは、光ビームＢ１又はＢ２を出射し、ビームスプリッタ７を透過してコリメータレンズ８により平行光束に変換される。このとき、ビームスプリッタ７は、光ビームＢ１及びＢ２夫々の偏向方向に応じてこれらを透過する偏向ビームスプリッタとして構成されている。
【００３３】
そして、平行光束とされた光ビームＢ１又はＢ２は、対物レンズ９により光ディスクＤＫの情報記録面上に集光されて反射され、再び対物レンズ９に入射する。なお、当該情報記録面における反射により、光ビームＢ１又はＢ２の偏向方向が夫々の光軸を中心として回転することになる。
【００３４】
次に、当該再度対物レンズ９に入射した光ビームＢ１又はＢ２は、コリメータレンズ８を透過してビームスプリッタ７に入射する。そして、上記情報記録面による反射によりその偏向方向が回転したことに起因して当該ビームスプリッタ７により反射され、ディテクタ１０に入射する。
【００３５】
これにより、当該ディテクタ１０は、入射した光ビームＢ１又はＢ２の強度の変化に対応して変化する上記検出信号Ｓpを生成して上記再生処理部１１へ出力し、必要な増幅処理等に供させる。
【００３６】
このとき、実施形態に係るピックアップＰＵにおいては、レーザダイオード６Ａから光ビームＢ１を出射してＣＤたる光ディスクＤＫに対して情報の記録又は再生を実行する場合と、レーザダイオード６Ｂから光ビームＢ２を出射してＤＶＤたる光ディスクＤＫに対して情報の記録又は再生を実行する場合と、で、トラッキングサーボ処理において光ディスクＤＫの半径方向に対物レンズ９を移動させる際の基準となる当該対物レンズ９の中心軸の位置である基準中心軸位置（光ディスクの半径方向の初期中心軸位置）を、レーザダイオード６Ａとレーザダイオード６Ｂとの間隔（図１に示す場合は「Ｌ」）に応じた距離だけ離して設定する。
【００３７】
すなわち、図１に示すように、レーザダイオード６Ａから光ビームＢ１を出射して光ディスクＤＫに対して情報の記録又は再生を実行する場合における当該基準中心軸位置を基準中心軸位置Ｃ１とした場合、レーザダイオード６Ｂから光ビームＢ２を出射して光ディスクＤＫに対して情報の記録又は再生を実行する場合における当該基準中心軸位置を、上記基準中心軸位置Ｃ１から下記距離ＬＬだけ離れた基準中心軸位置Ｃ２とする。そして、これらの基準中心軸位置Ｃ１又はＣ２を夫々の対物レンズ９の中心軸の初期位置として当該対物レンズ９を光ディスクＤＫの半径方向にアクチュエータ１により移動させ、これにより夫々の光ディスクＤＫに対する情報の記録又は再生を行う際のトラッキングサーボ処理を行う。
【００３８】
ここで、基準中心軸位置Ｃ１とＣ２との光ディスクＤＫの半径方向の間隔ＬＬは、コリメータレンズ８の焦点距離をＦ１とし、対物レンズ９の焦点距離をＦ２としたとき、
ＬＬ＝（Ｆ２÷Ｆ１）×Ｌ
で示される間隔とする。また、基準中心軸位置Ｃ１（レーザダイオード６Ａの発光点を位置又はそれに極近い位置を通る）を中心としたとき、基準中心軸位置Ｃ２は、図１に示すように、レーザダイオード６Ａの設置位置から見たレーザダイオード６Ｂの設置位置の方向とは反対の方向に間隔ＬＬだけずらして設定される。
【００３９】
次に、上述した構成を有するピックアップＰＵにおける基準中心軸位置の設定について、具体的に図１及び図２を用いて説明する。
【００４０】
実施形態におけるピックアップＰＵの基準中心位置の設置においては、先ず、装填された光ディスクＤＫの種類（ＣＤであるか又はＤＶＤであるかの種類）を従来の方法により検出し、その結果を用いて、レーザダイオード６Ａ又はレーザダイオード６Ｂのいずれかを発光させるべきレーザダイオードとして選択する（ステップＳ１）。
【００４１】
そして、選択された結果を用いて、対物レンズ９の基準中心軸位置を、基準中心軸位置Ｃ１又はＣ２のいずれかから選択して設定する（ステップＳ２）。このとき、より具体的には、選択されたレーザダイオードがレーザダイオード６Ａであるときは対物レンズ９の基準中心軸位置を基準中心軸位置Ｃ１とし、一方、選択されたレーザダイオードがレーザダイオード６Ｂであるときは対物レンズ９の基準中心軸位置を基準中心軸位置Ｃ２とする。そして、夫々の設定した基準中心軸位置に関する位置情報等をサーボ信号処理部３内の図示しないメモリ等内に記憶させ、その記憶した基準中心軸位置を中心として対物レンズ９を光ディスクＤＫの半径方向に移動させるように設定する。
【００４２】
次に、当該設定された基準中心軸位置を中心にして必要なトラッキングサーボ処理を行いつつピックアップＰＵを駆動する（ステップＳ３）。
【００４３】
その後、現在駆動しているレーザダイオードの当該駆動を終了するか否かを確認し（ステップＳ３）、終了させない場合は（ステップＳ３；ＮＯ）そのまま当該レーザダイオードの駆動を継続し、一方、終了する場合は（ステップＳ３；ＹＥＳ）、次に、他のレーザダイオードを駆動するか否かを更に確認する（ステップＳ５）。
【００４４】
そして、他のレーザダイオードを用いて更に光ディスクＤＫに対する情報の記録又は再生を行う場合は（ステップＳ５；ＹＥＳ）、上記ステップＳ１に戻って当該他のレーザダイオードを選択して上記ステップＳ２乃至Ｓ４を用いて実行する。一方、他のレーザダイオードを用いて更に光ディスクＤＫに対する情報の記録又は再生を行わない場合は（ステップＳ５；ＮＯ）、実施形態としてのピックアップＰＵにおける動作を終了する。
【００４５】
以上説明したように、実施形態に係るピックアップＰＵの動作によれば、対物レンズ９における基準中心軸位置を、各レーザダイオード６Ａ又は６Ｂの設置位置に夫々対応した異なる基準中心軸位置として当該対物レンズ９を移動させるので、各レーザダイオード６Ａ又は６Ｂにつき、物理的な設置位置が異なることに起因する光ビームＢ中の収差の発生を防止することができる。
【００４６】
従って、各レーザダイオード６Ａ又は６Ｂ毎の設置位置に起因する収差の発生を防止できるので、いずれの光ビームＢを用いて光ディスクＤＫに対する情報の記録又は再生を行う場合でも、精度よく当該情報の記録又は再生を行うことができる。
【００４７】
更に、従来のピックアップに対して物理的な部品の追加を伴うことなく、レーザダイオード６Ａ及び６Ｂ毎の発光点の位置の相違に起因するエラーレートの増大等を防止することで、製造工程の増大、製造コストの増大並びにピックアップＰＵとしての大型化を防止することできる。
【００４８】
また、レーザダイオード６Ａに対応する集光位置とレーザダイオード６Ｂに対応する集光位置との間隔ＬＬが、当該レーザダイオード６Ａの設置位置とレーザダイオード６Ｂの設置位置との間隔Ｌ、コリメータレンズ８の焦点距離Ｆ１、対物レンズ９の焦点距離Ｆ２を用いて、ＬＬ＝（Ｆ２÷Ｆ１）×Ｌとなるように各レーザダイオード６Ａ又は６Ｂに対応する対物レンズ９の移動における基準中心軸位置が夫々設定されるので、効果的に設置位置の差に起因する収差を補正することができる。
【００４９】
更に、レーザダイオード６Ｂから出射された光ビームＢ２の集光位置が、レーザダイオード６Ａから出射された光ビームＢ１の集光位置から見て、レーザダイオード６Ａの設置位置から見たレーザダイオード６Ｂの設置位置の方向とは反対の方向に間隔ＬＬだけ離隔した位置となるようにレーザダイオード６Ａ又は６Ｂに対応する各基準中心軸位置を設定するので、より確実にレーザダイオード毎の設置位置の差に起因する収差を補正することができる。
【００５０】
なお、上述した実施形態においては、光ディスクＤＫに記録されている情報を光学的に再生する情報再生装置Ｓ内のピックアップＰＵに対して本願を適用した場合について説明したが、これ以外に、光ディスクＤＫに対して光学的に情報を記録する情報記録装置内のピックアップにおいて、当該情報記録用のアドレス情報等を当該光ディスクＤＫから再生する際に本願を適用することも可能である。
【００５１】
更に、図２に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係るＣＰＵ４として活用することも可能である。
【図面の簡単な説明】
【００５２】
【図１】実施形態の情報再生装置の概要構成を示すブロック図である。
【図２】実施形態のピックアップにおける基準中心軸位置設定の動作を示すフローチャートである。
【符号の説明】
【００５３】
１    アクチュエータ
２    アクチュエータドライバ
３    サーボ信号処理部
４    ＣＰＵ
５    レーザドライバ
６Ａ、６Ｂ    レーザダイオード
７    ビームスプリッタ
８    コリメータレンズ
９    対物レンズ
１０    ディテクタ
１１    再生処理部
ＤＫ    光ディスク
ＰＵ    ピックアップ
Ｓ    情報再生装置
Ｂ１、Ｂ２    光ビーム
Ｃ１、Ｃ２    基準中心軸位置
【図１】
2006164478.tif 000003
【図２】
2006164478.tif 000004